【手続補正書】
【提出日】平成18年3月3日(2006.3.3)
【手続補正１】
【補正対象書類名】明細書
【補正対象項目名】発明の名称
【補正方法】変更
【補正の内容】
【発明の名称】情報処理システム、情報処理装置および方法、プログラム、情報管理装置および方法、並びにプログラム
【手続補正２】
【補正対象書類名】明細書
【補正対象項目名】特許請求の範囲
【補正方法】変更
【補正の内容】
【特許請求の範囲】
【請求項１】  コンテンツの特定シーンに含まれるオブジェクトに関するカテゴリ情報と詳細情報を取得する情報処理装置と、
前記情報処理装置とネットワークを介して接続され、前記カテゴリ情報と前記詳細情報を管理する情報管理装置と
からなる情報処理システムにおいて、
前記情報処理装置は、
前記コンテンツを取得するコンテンツ取得手段と、
前記カテゴリ情報の取得を要求する第１の情報取得要求と、前記詳細情報の取得を要求する第２の情報取得要求を生成する生成手段と、
前記生成手段により生成された前記第１の情報取得要求を前記情報管理装置に供給した後、さらに前記第２の情報取得要求を前記情報管理装置に供給する情報取得要求供給手段と、
前記第１の情報取得要求に基づく、前記情報管理装置からの前記カテゴリ情報を取得するとともに、その後前記第２の情報取得要求に基づく、前記情報管理装置からの前記詳細情報をさらに取得する情報取得手段と
を備え、
前記情報管理装置は、
前記情報処理装置より前記第１の情報取得要求とともに、前記第２の情報取得要求を取得する情報取得要求取得手段と、
前記情報取得要求取得手段により取得された前記第１と第２の情報取得要求を解析する解析手段と、
前記解析手段による解析結果に基づいて、前記カテゴリ情報または前記詳細情報が登録されているコンテンツデータベースを検索する検索手段と、
前記検索手段により検索された前記カテゴリ情報を前記情報処理装置に供給するとともに、その後前記詳細情報を前記情報処理装置に供給する情報供給手段と
を備えることを特徴とする情報処理システム。
【請求項２】  コンテンツの特定シーンに含まれるオブジェクトに関するカテゴリ情報と詳細情報を管理する情報管理装置とネットワークを介して接続される情報処理装置において、
前記コンテンツを取得するコンテンツ取得手段と、
前記カテゴリ情報の取得を要求する第１の情報取得要求を生成する第１の生成手段と、
前記詳細情報の取得を要求する第２の情報取得要求を生成する第２の生成手段と、
前記第１の生成手段により生成された前記第１の情報取得要求を前記情報管理装置に供給する第１の供給手段と、
前記第２の生成手段により生成された前記第２の情報取得要求を前記情報管理装置に供給する第２の供給手段と、
前記第１の情報取得要求に基づいて前記情報管理装置より送信されてくる前記カテゴリ情報を取得する第１の情報取得手段と、
前記第２の情報取得要求に基づいて前記情報管理装置より送信されてくる前記詳細情報を取得する第２の情報取得手段と
を備えることを特徴とする情報処理装置。
【請求項３】  前記カテゴリ情報は、少なくとも、前記オブジェクトを識別するためのオブジェクト識別番号、前記オブジェクトの出現時刻、前記オブジェクトの消滅時刻、前記オブジェクトのカテゴリ、および前記カテゴリを識別するためのカテゴリ識別番号を含み、
前記詳細情報は、少なくとも、前記オブジェクト識別番号、前記出現時刻、前記消滅時刻、前記カテゴリ、前記カテゴリ識別番号、および前記オブジェクトの詳細な情報であるオブジェクト情報を含む
ことを特徴とする請求項２に記載の情報処理装置。
【請求項４】  前記オブジェクト情報は、前記オブジェクトに関するさらに詳細な情報であるオブジェクト詳細情報を提供する情報提供装置への接続情報をさらに含む
ことを特徴とする請求項３に記載の情報処理装置。
【請求項５】  前記接続情報に基づいて前記情報提供装置と接続する接続手段と、
前記接続手段により接続された前記情報提供装置より前記オブジェクト詳細情報を取得するオブジェクト詳細情報取得手段と
をさらに備えることを特徴とする請求項４に記載の情報処理装置。
【請求項６】  前記第２の生成手段は、前記第１の情報取得手段により取得された前記カテゴリ情報に基づいて前記第２の詳細情報取得要求を生成する
ことを特徴とする請求項２に記載の情報処理装置。
【請求項７】  前記カテゴリ情報と前記詳細情報を解析する解析手段と、
前記解析結果を記録する記録手段と
をさらに備えることを特徴とする請求項２に記載の情報処理装置。
【請求項８】  前記第１の情報取得手段により取得された前記カテゴリ情報、または前記第２の情報取得手段により取得された前記詳細情報を表示する表示制御手段をさらに備える
ことを特徴とする請求項２に記載の情報処理装置。
【請求項９】  前記コンテンツ取得手段は、前記コンテンツを放送する放送装置、前記コンテンツをネットワークを介して提供するコンテンツ提供装置、または前記コンテンツが記録された記録媒体より、前記コンテンツを取得し、
前記コンテンツ取得手段により前記放送装置または前記コンテンツ提供装置より取得された前記コンテンツを、前記コンテンツを識別するための識別情報と対応付けて記録する記録手段をさらに備える
ことを特徴とする請求項２に記載の情報処理装置。
【請求項１０】  コンテンツの特定シーンに含まれるオブジェクトに関するカテゴリ情報と詳細情報を管理する情報管理装置とネットワークを介して接続される情報処理装置の情報処理方法において、
前記コンテンツを取得するコンテンツ取得ステップと、
前記カテゴリ情報の取得を要求する第１の情報取得要求を生成する第１の生成ステップと、
前記詳細情報の取得を要求する第２の情報取得要求を生成する第２の生成ステップと、
前記第１の生成ステップの処理により生成された前記第１の情報取得要求を前記情報管理装置に供給する第１の供給ステップと、
前記第２の生成ステップの処理により生成された前記第２の情報取得要求を前記情報管理装置に供給する第２の供給ステップと、
前記第１の情報取得要求に基づいて前記情報管理装置より送信されてくる前記カテゴリ情報を取得する第１の情報取得ステップと、
前記第２の情報取得要求に基づいて前記情報管理装置より送信されてくる前記詳細情報を取得する第２の情報取得ステップと
を含むことを特徴とする情報処理方法。
【請求項１１】  コンテンツの特定シーンに含まれるオブジェクトに関するカテゴリ情報と詳細情報を管理する情報管理装置とネットワークを介して接続される情報処理装置のプログラムであって、
前記コンテンツを取得するコンテンツ取得ステップと、
前記カテゴリ情報の取得を要求する第１の情報取得要求を生成する第１の生成ステップと、
前記詳細情報の取得を要求する第２の情報取得要求を生成する第２の生成ステップと、
前記第１の生成ステップの処理により生成された前記第１の情報取得要求を前記情報管理装置に供給する第１の供給ステップと、
前記第２の生成ステップの処理により生成された前記第２の情報取得要求を前記情報管理装置に供給する第２の供給ステップと、
前記第１の情報取得要求に基づいて前記情報管理装置より送信されてくる前記カテゴリ情報を取得する第１の情報取得ステップと、
前記第２の情報取得要求に基づいて前記情報管理装置より送信されてくる前記詳細情報を取得する第２の情報取得ステップと
をコンピュータに実行させることを特徴とするプログラム。
【請求項１２】  コンテンツの特定シーンに含まれるオブジェクトに関するカテゴリ情報と詳細情報の取得を要求する情報処理装置とネットワークを介して接続される、前記カテゴリ情報と前記詳細情報を管理する情報管理装置において、
前記カテゴリ情報の取得を要求する第１の情報取得要求を取得する第１の取得手段と、
前記詳細情報の取得を要求する第２の情報取得要求を取得する第２の取得手段と、
前記第１および第２の取得手段により取得された前記第１および第２の情報取得要求を解析する解析手段と、
前記解析手段による前記第１の情報取得要求の解析結果に基づいて、前記第１の情報取得要求により取得が要求された前記カテゴリ情報を第１のコンテンツデータベースから検索する第１の検索手段と、
前記第１の検索手段により検索された、前記カテゴリ情報を前記情報処理装置に供給する第１の供給手段と、
前記解析手段による前記第２の情報取得要求の解析結果に基づいて、前記第２の情報取得要求により取得が要求された前記カテゴリ情報を第２のコンテンツデータベースから検索する第２の検索手段と、
前記第２の検索手段により検索された、前記詳細情報を前記情報処理装置に供給する第２の供給手段と
を備えることを特徴とする情報管理装置。
【請求項１３】  前記第１および第２のコンテンツデータベースに登録されている前記カテゴリ情報および前記詳細情報は、必要に応じて、追加、削除、または変更される
ことを特徴とする請求項１２に記載の情報管理装置。
【請求項１４】  前記第１の検索手段により前記カテゴリ情報が前記第１のコンテンツデータベースから検索できないとき、第３のコンテンツデータベースから前記カテゴリ情報を検索する第３検索手段と、
前記第２の検索手段により前記詳細情報が前記第２のコンテンツデータベースから検索できないとき、第４のコンテンツデータベースから前記詳細情報を検索する第４検索手段と
をさらに備えることを特徴とする請求項１２に記載の情報管理装置。
【請求項１５】  前記カテゴリ情報は、少なくとも、前記オブジェクトを識別するためのオブジェクト識別番号、前記オブジェクトの出現時刻、前記オブジェクトの消滅時刻、前記オブジェクトのカテゴリ、および前記カテゴリを識別するためのカテゴリ識別番号を含み、
前記詳細情報は、少なくとも、前記オブジェクト識別番号、前記出現時刻、前記消滅時刻、前記カテゴリ、前記カテゴリ識別番号、および前記オブジェクトの詳細な情報であるオブジェクト情報を含む
ことを特徴とする請求項１２に記載の情報管理装置。
【請求項１６】  前記カテゴリ情報を、前記第１のコンテンツデータベースに含まれるカテゴリ情報データベースに登録するカテゴリ情報登録手段をさらに備える
ことを特徴とする請求項１２に記載の情報管理装置。
【請求項１７】  前記詳細情報を、前記第２のコンテンツデータベースに登録する詳細情報登録手段をさらに備える
ことを特徴とする請求項１２に記載の情報管理装置。
【請求項１８】  コンテンツの特定シーンに含まれるオブジェクトに関するカテゴリ情報と詳細情報の取得を要求する情報処理装置とネットワークを介して接続される、前記カテゴリ情報と前記詳細情報を管理する情報管理装置の情報管理方法において、
前記カテゴリ情報の取得を要求する第１の情報取得要求を取得する第１の取得ステップと、
前記詳細情報の取得を要求する第２の情報取得要求を取得する第２の取得ステップと、
前記第１および第２の取得ステップの処理により取得された前記第１および第２の情報取得要求を解析する解析ステップと、
前記解析ステップの処理による前記第１の情報取得要求の解析結果に基づいて、前記第１の情報取得要求により取得が要求された前記カテゴリ情報を第１のコンテンツデータベースから検索する第１の検索ステップと、
前記第１の検索ステップの処理により検索された、前記カテゴリ情報を前記情報処理装置に供給する第１の供給ステップと、
前記解析ステップの処理による前記第２の情報取得要求の解析結果に基づいて、前記第２の情報取得要求により取得が要求された前記カテゴリ情報を第２のコンテンツデータベースから検索する第２の検索ステップと、
前記第２の検索ステップの処理により検索された、前記詳細情報を前記情報処理装置に供給する第２の供給ステップと
を含むことを特徴とする情報管理方法。
【請求項１９】  コンテンツの特定シーンに含まれるオブジェクトに関するカテゴリ情報と詳細情報の取得を要求する情報処理装置とネットワークを介して接続される、前記カテゴリ情報と前記詳細情報を管理する情報管理装置のプログラムであって、
前記カテゴリ情報の取得を要求する第１の情報取得要求を取得する第１の取得ステップと、
前記詳細情報の取得を要求する第２の情報取得要求を取得する第２の取得ステップと、
前記第１および第２の取得ステップの処理により取得された前記第１および第２の情報取得要求を解析する解析ステップと、
前記解析ステップの処理による前記第１の情報取得要求の解析結果に基づいて、前記第１の情報取得要求により取得が要求された前記カテゴリ情報を第１のコンテンツデータベースから検索する第１の検索ステップと、
前記第１の検索ステップの処理により検索された、前記カテゴリ情報を前記情報処理装置に供給する第１の供給ステップと、
前記解析ステップの処理による前記第２の情報取得要求の解析結果に基づいて、前記第２の情報取得要求により取得が要求された前記カテゴリ情報を第２のコンテンツデータベースから検索する第２の検索ステップと、
前記第２の検索ステップの処理により検索された、前記詳細情報を前記情報処理装置に供給する第２の供給ステップと
をコンピュータに実行させることを特徴とするプログラム。
【手続補正３】
【補正対象書類名】明細書
【補正対象項目名】０００１
【補正方法】変更
【補正の内容】
【０００１】
【発明の属する技術分野】
本発明は情報処理システム、情報処理装置および方法、プログラム、情報管理装置および方法、並びにプログラムに関し、特に、コンテンツのシーンに関連して、より多くの関連情報を有効に提供することができるようにした情報処理システム、情報処理装置および方法、プログラム、情報管理装置および方法、並びにプログラムに関する。
【手続補正４】
【補正対象書類名】明細書
【補正対象項目名】００１２
【補正方法】削除
【補正の内容】
【手続補正５】
【補正対象書類名】明細書
【補正対象項目名】００２０
【補正方法】変更
【補正の内容】
【００２０】
コンテンツ取得手段は、コンテンツを放送する放送装置、コンテンツをネットワークを介して提供するコンテンツ提供装置、またはコンテンツが記録された記録媒体より、コンテンツを取得し、コンテンツ取得手段により放送装置またはコンテンツ提供装置より取得されたコンテンツを、コンテンツを識別するための識別情報と対応付けて記録する記録手段をさらに備えるようにすることができる。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】削除
【補正の内容】
【手続補正８】
【補正対象書類名】明細書
【補正対象項目名】００２３
【補正方法】削除
【補正の内容】
【手続補正９】
【補正対象書類名】明細書
【補正対象項目名】００２４
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００３５
【補正方法】削除
【補正の内容】
【手続補正１２】
【補正対象書類名】明細書
【補正対象項目名】００３７
【補正方法】変更
【補正の内容】
【００３７】
本発明の情報システムにおいては、コンテンツの特定シーンに含まれるオブジェクトに関するカテゴリ情報と詳細情報を取得する情報処理装置と、情報処理装置とネットワークを介して接続され、カテゴリ情報と詳細情報を管理する情報管理装置とからなる情報処理システムにおいて、情報処理装置において、コンテンツが取得され、カテゴリ情報の取得が要求され、詳細情報の取得が要求され、生成された第１の情報取得要求が情報管理装置に供給された後、さらに第２の情報取得要求が情報管理装置に供給され、第１の情報取得要求に基づく、情報管理装置からのカテゴリ情報が取得されるとともに、その後第２の情報取得要求に基づく、情報管理装置からの詳細情報がさらに取得され、情報管理装置において、情報処理装置より第１の情報取得要求とともに、第２の情報取得要求が取得され、取得された第１と第２の情報取得要求が解析され、解析結果に基づいて、カテゴリ情報または詳細情報が登録されているコンテンツデータベースが検索され、検索されたカテゴリ情報が情報処理装置に供給されるとともに、その後詳細情報が情報処理装置に供給される。
【手続補正１３】
【補正対象書類名】明細書
【補正対象項目名】００３８
【補正方法】変更
【補正の内容】
【００３８】
本発明の情報処理装置および方法、並びにプログラムにおいては、コンテンツが取得され、カテゴリ情報の取得を要求する第１の情報取得要求が生成され、詳細情報の取得を要求する第２の情報取得要求が生成され、生成された第１の情報取得要求が情報管理装置に供給され、生成された第２の情報取得要求が情報管理装置に供給され、第１の情報取得要求に基づいて情報管理装置より送信されてくるカテゴリ情報が取得され、第２の情報取得要求に基づいて情報管理装置より送信されてくる詳細情報が取得される。
【手続補正１４】
【補正対象書類名】明細書
【補正対象項目名】００３９
【補正方法】変更
【補正の内容】
【００３９】
本発明の情報管理装置および方法、並びにプログラムにおいては、カテゴリ情報の取得を要求する第１の情報取得要求が取得され、詳細情報の取得を要求する第２の情報取得要求が取得され、取得された第１および第２の情報取得要求が解析され、第１の情報取得要求の解析結果に基づいて、第１の情報取得要求により取得が要求されたカテゴリ情報が第１のコンテンツデータベースから検索され、検索されたカテゴリ情報が情報処理装置に供給され、第２の情報取得要求の解析結果に基づいて、第２の情報取得要求により取得が要求されたカテゴリ情報が第２のコンテンツデータベースから検索され、検索された詳細情報が情報処理装置に供給される。